(57)【要約】本発明は、符号化及び変調によるコンテンツ情報から取得された変調されたビットストリームの形式でコンテンツ情報を記憶した記録キャリアを製造する方法及び装置に関する。記録キャリアは、予め決定されたロケーションで、多数のダミーパターンを有し、個々のコードのような二次情報のポストレコーディングを可能にし、これにより、二次情報は、ダミーパターンを選択的に変更することで記録される。本発明に係る方法及び装置は、予め決定されたポジションでのダミーパターンをもつ変調されたビットストリームが、ダミーパターンが利用される変調に準拠するのを確かめるために、変調が行われる前に、データワードの系列にダミーパターンに対応するデータワードを挿入することで取得されることが予知される。
2008520055.tif 000002
【特許請求の範囲】
【請求項１】
データワードの系列により表される、コンテンツ情報を記憶した記録キャリアを製造する方法であって、
前記記録キャリアで、前記コンテンツ情報は、
データワードにおけるエラーの検出／訂正を可能にするエラーコードワードをデータワードの系列に付加するエラーコードジェネレーション、データワードの系列のシャッフリング、及び前記データワードのスクランブリング、のうちの少なくとも１つを有し、データワードのエンコードされた系列を取得するエンコーディングステップと、
変調されたビットストリームを形成するように、データワードをチャネルワードに変換し、ピットとランドのパターンをチャネルワードに関連付ける変調ステップと、
を含む符号化／変調プロセスにより前記コンテンツ情報から取得された変調されたビットストリームの形式で存在し、
当該製造方法は、
前記符号化ステップをデータワードの初期系列に適用し、データワードのエンコードされた初期系列を取得するステップと、
データワードのエンコードされた初期系列における予め決定されたポジションに存在するデータワードを、前記変調ステップにより所望のパターンに変換されたデータワードと置き換え、データワードの変更されたエンコードされた初期系列を取得するステップと、
前記変調ステップをデータワードの変更されたエンコードされた初期系列に適用し、予め決定されたポジションでの所望のパターンを有する変調されたビットストリームを取得するステップと、
前記変調されたビットストリームに従って前記記録キャリアをマスタリングするステップと、
を含む製造方法。
【請求項２】
前記置き換えるステップの後、デコーディングステップ、エンコーディングステップの逆のステップが前記データワードの変更されたエンコードされた初期系列に適用され、データワードの最終的な系列を取得するように、コンテンツ情報とマージングステップでマージされるデータワードの中間系列を取得するステップを含む、
請求項１記載の方法。
【請求項３】
前記符号化／変調プロセスは、データワードの最終的な系列に適用される、
請求項２記載の方法。
【請求項４】
データワードの系列により表される、コンテンツ情報を記憶した記録キャリアを製造する装置であって、
前記記録キャリアで、前記コンテンツ情報は、
データワードにおけるエラーの検出／訂正を可能にするエラーコードワードをデータワードの系列に付加するエラーコードジェネレーション、データワードの系列のシャッフリング、及び前記データワードのスクランブリング、のうちの少なくとも１つを有し、データワードのエンコードされた系列を取得するエンコーディングステップと、
変調されたビットストリームを形成するように、データワードをチャネルワードに変換し、ピットとランドのパターンをチャネルワードに関連付ける変調ステップと、
を含む符号化／変調プロセスにより前記コンテンツ情報から取得された変調されたビットストリームの形式で存在し、
当該製造装置は、
前記符号化ステップを実行するエンコーダと、
前記復調ステップを実行する復調器と、
前記変調ステップから得られた変調されたビットストリームに従って前記記録キャリアをマスタリングするマスタリングユニットと、
データワードの初期系列をエンコーダに供給して、データワードのエンコードされた初期系列を取得し、データワードのエンコードされた初期系列における予め決定されたポジションに存在するデータワードを、前記変調ステップにより所望のパターンに変換されたデータワードと置き換えて、データワードの変更されたエンコードされた初期系列を取得し、このデータワードのエンコードされた初期系列を変調器に供給する制御ユニットと、
を有する製造装置。
【請求項５】
データワードの初期系列を生成する生成ユニットを更に有する、
請求項４記載の装置。
【請求項６】
データワードの最終的な系列を取得するように、データワードの中間系列をコンテンツ情報とマージするマージングユニットを更に有する、
請求項４記載の装置。
【請求項７】
前記エンコーダは、予め決定されたポジションでピットとランドのパターンの極性を制御する極性制御手段を有する、
請求項４記載の装置。
【発明の詳細な説明】
【技術分野】
【０００１】
本発明は、二次情報のポストレコーディングを可能にする、コンテンツ情報を記憶した記録キャリアを製造する方法及び装置に関する。
【背景技術】
【０００２】
ＲＯＭ光ディスクは、モールディングプロセスにより得られ、これにより、同じコンテンツ情報、又はユーザデータの正確なレプリカを有する複数のディスクが得られることが知られており、コンテンツ情報は、たとえば音楽、映画、ソフトウェアであり、これらはコピープロテクトされたマテリアルであることがある。幾つかの用途について、個々のディスクは保持される情報の少なくとも１部において異なることが望まれる。しかし、これは、前記モールディングプロセスにより達成することができない。簡単な用途は、たとえば、特に超流通の環境で、認証、アクセス制御、又はコピープロテクションスキームの基本として個々のディスクを区別する可能性である。
【０００３】
ＷＯ０２／１０１７３３では、いわゆるポストレコーディング方法が記載されており、この方法により、ディスクプロダクションの後にリードオンリ光記録キャリアに、固有のディスクＩＤのような二次情報を記録するのを可能にする。この方法は、「ポストスクライブドＩＤ（ＰＩＤ）」とも呼ばれ、ＣＤ−ＲＯＭ用にＳｏｎｙにより使用されている。ＰＩＤでは、スタンプされたピット間のランドは、レーザの除去（ablation）を使用して、ピットライクな反射を与えるように、変換される。（従来のディスクのアルミニウムから通常は構成される）薄膜反射レイヤは、レイヤの除去を可能にする特別のコンポジションを有する。除去の後、局所的な反射率は、低くなり、スタンプされたピットに匹敵する。ピットにおけるレコーディングは、著しい反射率の変化とならず、上書きされたピットセクションは「ピット」のままであり、上書きされた「ランド」セクションは、読み取りプロセスにとって「ピット」に変換される。この方法を使用して、変調スキームを適合させることが可能であり、したがって、同じユーザ情報を有する複数のＣＤ−ＲＯＭは、モールディングプロセスにより第一のステップで得られ、第二のステップで、複数のメンバのうちの個々のメンバは、個々のポストスクライブドＩＤ（固有のディスクＩＤ；一般に、二次情報）をそれぞれのディスクに付加することで差別化される。コンテンツ情報を破壊しないようにするため、ディスクの特別のエリアが設けられ、ここでは、ユーザに関連せず、コンテンツ情報の一部ではないダミーパターンがプレレコードされ、二次情報はここで付加される。
【発明の開示】
【発明が解決しようとする課題】
【０００４】
本発明の目的は、比較的シンプルなやり方で検索することができる二次情報の記録のため、ポストレコーディングプロセスにより変更されるための所望のタイプの予め決定されたポジションパターンを有する記録キャリアを製造する方法及び装置を提供することにある。
【課題を解決するための手段】
【０００５】
上記目的は、請求項１記載の方法による発明、請求項４記載の装置による発明に従って達成される。本発明の好適な実施の形態は、従属の請求項に記載される。  
なお、二次情報は、コンテンツ情報がプリレコードされる同じ情報チャネルで記録され、実質的に同じ復調／復号化回路の使用により検索される必要がある。  
コンテンツ情報は、コンテンツ情報をエンコードし、エンコードされたコンテンツ情報を変調することでコンテンツ情報から得られた変調されたビットストリームの形式で、記録キャリアに存在する。
【０００６】
コンテンツ情報のエンコードは、コンテンツ情報を表すデータワードがＥＣＣでエンハンスされる誤り訂正コード（ＥＣＣ）を生成すること、データワードのシャッフルし、及び／又はそれらを他のデータワードでインタリーブすること、及びデータワードをスクランブリングすること、の組み合わせを含む。
【０００７】
エンコードされたコンテンツ情報を変調することは、それぞれのデータワードを、１ｓと０ｓのパターン又は光記録キャリアのケースではピット及びランドとして表現可能なチャネルワードに変換することを予知する。
【０００８】
本発明は、ポストレコーディングシステムで変更されるためのエリアを提供することと同様に、ポストレコーディングプロセスでこのエリアを変更させることの両者において、予知される変調ルールに準拠しない同じパターンを記録キャリアに潜在的に導入するという認識に主に基づいている。
【０００９】
変調ステップの存在の理由は、記録されたコンテンツ情報を検索する間にエラーを検出／訂正すること、及び／又は、たとえばＲＬＬ（Run-Length  Limited）符号化が使用される光ストレージにおけるように、特定の記録システムにより課される帯域幅の制約と互換性のある形式で記録されるべき情報をレンダリングすること、を可能にする冗長度を導入することになる。
【００１０】
たとえばＣＤ，ＤＶＤ又はＢＤ規格に従うような光記録システムでは、特に、変調ステップは、ｍ＞ｎとして、ｎビットのデータワードとｍビットのチャネルワードを関連付けするステップを含む。結果として、チャネルワードのスペースで、すなわちｍビットで取得可能な全ての２mのチャネルワードでは、幾つかは関連する変調アルゴリズム（ＣＤのためのＥＦＭ、ＤＶＤのためのＥＦＭ＋及びＢＤのための１７ＰＰ）により予知することができ、他は無効なチャネルワードである。対照的に、データワードが関連付けされるチャネルワードは、有効なチャネルワードと呼ばれる。再生装置では、無効なチャネルワードの検出は、復調の間に誤りとしてそのチャネルワードを記録することを生じる。したがって、ポストレコーディングプロセスで変更されるために前もって配置されるダミーパターンは、採用される変調ルールに準拠する必要があり、すなわちそれらは有効なパターンとなる必要があるか、有効なチャネルワードに対応し、さもなければ、無効なパターンとして、復調の適合を余儀なくさせる。さらに、無効なパターンとして、ダミーパターンとして、ダミーパターンは、チャネルのＲＬＬ（read:bandwidth）の制約を違反し、記録キャリアから検索された高周波信号のアナログプリプロセッシングに更に多くの負荷を与え、及びこれらのパターンを正しく検出するための一般的な復調に更に多くの負荷を与える。
【００１１】
代わりに、ダミーパターンが有効なパターンである場合、復調レベル及びアナログプロプロセッシングでの変更が全く必要なく、上位レイヤ、デコーディングレベルは、代わりに、適合される必要がある。これは、変更があるか、変更が無いかで、ダミーパターンが何処にあるか、及びそれらがどのように見えるかを知る必要があるためである。デコーディングの間、ポストレコーディングプロセスで変更されるパターンを訂正する試みが存在しない。しかし、この適合は比較的シンプルなものである。実際に、ダミーパターンは、予め決定されたロケーションで配置され、デコーダにおけるユニットは、予め決定されたリケーションに存在するパターンが変更されたか否かをチェックし、これにより記録された二次情報を検索する。
【００１２】
したがって、固有のディスクＩＤのような、それぞれ記録キャリアに対して個別である、二次情報のレコーディング、又は「ポストレコーディング」を可能にするため、ダミーパターンを有する記録キャリアが提供され、予め決定されたロケーションで有効なチャネルワードに対応する。二次情報は、前記ポストレコーディングプロセスにおける前記ダミーパターンを選択的に変更することで、記録キャリアに記憶される。
【００１３】
この明細書の環境では、表現「ダミーパターン」及び「ダミーチャネルワード」は、全く値のないパターン又はチャネルワードを示すために使用されないが、むしろコンテンツ情報を保持しないパターン又はチャネルワードを示すために使用される。すなわち、ダミーパターン又はダミーチャネルワードは、確かに無関係であるか、コンテンツ情報の観点から「ダミー」であるが、それにもかかわらず、ダミーパターン又はチャネルワードは、変更されるか否かで、前記二次情報の一部を記憶するため、二次情報に関連する。パターンとチャネルワードとの間の区別は以下に明らかにされる。
【００１４】
ＲＯＭ記録キャリア、すなわちコンテンツ情報がプリレコードされており、ユーザにより変更不可能である記録キャリアのケースでは、ダミーパターン及びコンテンツ情報をエンコードするパターンは、モールディングプロセスといった固有のステップにより形成されることが好ましい。したがって、同じコンテンツ情報をプリレコードした複数の記録キャリアを作成することが可能であり、この場合、差別化された二次情報を記録することができる。しかし、本発明は、ユーザにより記録可能な記録キャリアにも適用され、本発明に係る方法は、記録キャリアの個々のコードをプリレコードするために使用され、これは、コピープロテクトされたコンテンツの配信の幾つかのモデルに従って有効でとなる。
【００１５】
本発明は、予め決定されたポジションで変調されたビットストリームに存在するパターンをシンプルに変更することで、予め決定されたポジションで所望のパターンを有する変調されたビットストリームを生成することが可能ではない更なる認識に基づいており、これは、一般に、変調ルールの違反（すなわちＲＬＬ制約）を引き起こすためである。代わりに、本発明によれば、予め決定されたポジションでの所望のパターンを有する変調されたビットストリームは、変調が行われる前に、データワードの連続における所望のパターンに対応するデータワードを挿入することで得られる。
【発明を実施するための最良の形態】
【００１６】
本発明は、添付図面を参照して更に詳細に説明される。  
図１は、たとえばＷＯ０２／１０１７３３から知られているような、ポストレコーディングプロセスの基本原理を例示している。図１Ａは、公知の方法において、前のランド部分１１の反射率が低く、隣接する（スタンプされた）ピット部分１０及び１２の反射率に匹敵するように、レーザ蒸散及び反射率の変化を引き起こす、２つのピット部分１０及び１２の間の配置されるランド部分１１がハイパワーのレーザ放射線１３の印加によりどのように変更されるかを示す。ピット−ランド−ピットのシーケンスは、長いピットエリア１４となる。
【００１７】
図１Ａに示される例では、全体のランドエリア１１が前記レーザ放射線１３により照射されるが、図１Ｂに示される例では、右手のピット部分１２に近いランドエリア１１の一部のみがレーザ放射線１３により照射され、前記ランド部分１１の一部のみをピット部分に変化させる。結果として、右手ピットのエッジポジション１５が変更され、すなわち前記ピットのランレングスが長くなる。このポストレコーディングプロセスから得られるパターンは、前もって存在するか、又はプリレコードされた、ピット、ランド及び変更マスクのパターンの間の論理演算ＯＲの結果として表現することができ、この変更マスクは、前もって存在するパターンにわたりレーザ放射線が何処で作用するかを定義し、前もって存在するパターンについて、１がピットを示して０がランドを示し、変更マスクについて、１が放射線作用を示して０が放射線作用なしを示すことを定義する。
【００１８】
図２は、コンテンツ情報をエンコードする一般に公知の方法の概念図であり、コンテンツ情報は、データワード２０の系列により表される。当該方法は、エンコードステップ２１、変調ステップ２６を含んでいる。
【００１９】
エンコードステップ２１は、データワードにおける誤りの検出／訂正を可能にする誤りコードワードがデータワードの系列に追加される誤り訂正コード（ＥＣＣ）発生２２、データワードの系列のシャッフリング２３、及び、データワードのスクランブリング２４の組み合わせを含み、これにより、データワード２５のエンコードされた系列を取得する。
【００２０】
変調ステップ２６は、エンコードされたデータワードの系列をチャネルワード２７’の系列に変調し２７、変調されたビットストリーム２９を形成するように、ピット及びランドのパターンにチャネルワードを関連付けする２８。
【００２１】
このような方法は、ＣＤ，ＤＶＤ及びＢＤ規格に従って使用される。ＥＣＣ発生、シャッフリング及びスクランブリングの正確なシーケンス及びアルゴリズムは、利用される特定の変調と同様に、規格から規格に変動する。
【００２２】
図３は、本発明に係る記録キャリアを製造する方法の概念図である。適用されるエンコードステップ２１及び変調ステップ２６は、図２に示されたステップと同じである。しかし、このケースでは、当該方法は、データワード３１のエンコードされた初期の系列における予め決定されたポジションに存在するデータワードを、変調ステップ２６により所望のパターンに変換されたデータワード、すなわち復調される所望のパターンに対応するデータワードと置き換えるステップ３４を含む。このように、予め決定されたポジションで所望のパターンを有する変調のビットストリーム３３が得られ、これは、次いで、図示されない後続のマスタリングステップで使用され、これにより記録キャリアが取得される。
【００２３】
したがって、置き換えるステップ３４は、エンコードステップ２１と変調ステップ２６との間で行われる。置き換えるステップ３４は変調ステップ２６の前に行われる理由は、既に上述されており、そのようにすることで、エンコードルールを違反する変調されたビットストリーム２９にパターが導入されないことが確認される事実による。しかし、置き換えるステップ３４は以下の理由のためにエンコードするステップ２１の後に行われることが有利である。
【００２４】
データワード２５のエンコードされた系列におけるデータワードの順序は、チャネルワード２７’の系列にけるチャネルワードの順序と同じであり、これは、変調されたビットストリーム２９におけるピット及びランドのパターンの順序と同じである。これにより、予め決定されたポジションは同じであり、代わりに、データワード２０の系列におけるデータワードの順序は、エンコードするステップ２１がシャッフリング２３を含む場合に異なる。
【００２５】
データワード２５のエンコードされた系列におけるデータワードとチャネルワード２７’の系列におけるチャネルワードとの間の比較的シンプルな関係が存在し、代わりに、データワード２０の系列におけるデータワードとチャネルワード２７’の系列におけるチャネルワードとの間の関係は、エンコードするステップ２１がスクランブリング２４を含む場合に比較的に更に複雑である。
【００２６】
有効なパターンは、（ダミーパターンとも呼ばれるか、ポストレコーディングプロセスにより変更されるパターン）所望のパターンとして原理的に使用され、有効なパターンは、データワードの変調から得られるパターンである。しかし、好ましくは、ダミーパターンは、以下の特性を有する。ダミーパターンと変更マスクとの間の論理演算ＯＲの結果が有効なチャネルワードに対応するパターンであるように、変更マスクが存在し、変更マスクは、変更されるべきパターンにわたり拡張され、変更マスクは、変更されるべきポイントに対応して値１、その他は値０により表され、ダミーパターンは、ピットに対応して値１、その他は値０により表される。これは、レーザ蒸散により作用されるダミーパターンの変更を反映し、これによりピットはピットのままであり、ランドはピットに変更される。
【００２７】
光ディスク規格に従って使用される変調のため、一般に、どの極性で所与のチャネルワードが変調されたビットストリーム２９で現れるかを先験的に知られていない。公知のポストレコーディング方法によれば、「ランド」を「ピット」に変換することが可能であり、生成された変調されたビットストリーム２９の極性を制御することが必要である。変調ビットストリームにおける極性の制御の必要性により、本発明の方法の実施の形態なしで済ませることができ、チャネルワードが変調されたビットストリームに現れる極性に係らず、ダミーパターンを有効なチャネルワードに対応する別のパターンに変える変更が適用される。すなわち、変更マスク及びダミーパターンは、ダミーパターンのネガチブと変更マスクとの間の論理演算ＯＲの結果として取得可能なパターンは、有効なチャネルワードに対応するパターンでもある更なる特性を有する。明らかに、これは、ダミーパターンと変更マスクの可能な選択を制約する。このケースでは、ダミーチャネルワードに関して話すことは正しい。
【００２８】
本発明に係る方法は、ＥＦＭ、ＥＦＭ＋又は１７ＰＰと共に使用することができる。ＥＦＭ及びＥＦＭ＋によれば、データワードは、チャネルワードに個々に変換される。１７ＰＰによれば、代わりに、データワードのチャネルワードへの変換（チャネルワードのデータワードへの変換）は、エンコードされたデータワード２５の系列（チャネルワード２７’の系列）における前のデータワードと次のデータワード（チャネルワード）にも依存する。したがって、１７ＰＰと共に本発明を適用するとき、好ましくは、復調の間にダミーパターン及び変更されたダミーパターンが前及び後続のチャネルワードのコンテンツに係らずそれぞれのデータワードに変換される特性を有するように、ダミーパターンが選択される。
【００２９】
データワード３０の初期の系列は、たとえば、二次情報を記憶する適切なサイズからなる、たとえばオールゼロ又はランダムといった、無関係な値のワードのサブ系列が添付されたコンテンツ情報である場合がある。次いで、置き換えるステップ３４では、エンコードされたサブ系列のみが影響され、すなわち、無関係の値のデータワードは、データワード３１のエンコードされた初期の系列における、コンテンツ情報を変更することなしに、置き換えるステップ３４で置き換えることができるワードである。
【００３０】
図４は、本発明に係る方法の実施の形態を示す。図３におけるように、データワード３０の初期系列は、エンコードステップ２１でエンコードされ、これによりデータワード３１のエンコードされた初期系列が取得され、これは置き換えるステップ３４で変更される。このケースでは、データワード３２の変更されたエンコードされた初期系列はデコーディングステップ２１’でデコードされ、このステップは、エンコードステップ２１の逆の動作を実行し、これによりデータワード４１の中間の系列が取得される。このデータワード４１の中間系列は、マージングステップ４０でコンテンツ情報とマージされ、これによりデータワード４２の最終的な系列が取得され、これは、通常のエンコードステップ２１及び変調ステップ２６に供給される。
【００３１】
このアプローチの利点は、通常のエンコードステップ２１及び変調ステップ２６並びにマスタリングステップが行われるレガシー装置にデータワード４２の最終系列を供給することが可能であることにある。
【００３２】
このケースでは、データワード３０の初期系列は、二次情報及びコンテンツ情報を記憶する適切なサイズからなり、無関係の値のデータワードから構成される。次いで、コンテンツ情報は、マージングステップ４０に挿入される。
【００３３】
更なる代替では、データワード３０の初期系列は、無関係な値のデータワードからなる、コンテンツ情報のみを記憶する適切なサイズからなる。次いで、コンテンツ情報は、マージングステップ４０で挿入されるように添付される。
【００３４】
図５は、本発明に係る記録キャリアを製造する装置の概念図を示す。本装置は、エンコードするステップ２１を実行するエンコーダ５０、変調ステップ２６を実行する変調器５１、変調ステップ２６から得られる変調されたビットストリーム３３に従って記録キャリアをマスタリングするマスタリングユニット５２を有する。本装置は、特に、データワード３０の初期の系列をエンコーダ５０に供給する発生ユニット５４、及び、データワード３１のエンコードされた初期系列における予め決定されたポジションに存在するデータワードを、変調ステップ２６により所望のパターンに変換されるデータワードと置き換え、これによりデータワード３２の変更されたエンコードされた初期系列を取得し、このデータワード３２の変更されたエンコードされた初期系列を変調器５１に供給する置換ユニット５５を有する制御ユニット５３を更に有する。
【００３５】
図６は、特にＢＤ規格への接続における使用のため、本発明に従って記録キャリアを製造する方法の更なる実施の形態を示す。データワード３０の初期系列は、発生ステップ６０で発生され、エンコードステップ２１でエンコードされる。本方法は、データワード３１のエンコードされた初期系列に置ける予め決定されたポジションに存在するデータワードを置き換えるステップ３４、デコーディングステップ２１’にデータワード３２の変更された初期系列を送出し、マージングステップ４０でコンテンツ情報と取得されたデータワード４１の中間系列をマージするステップに続く。マージステップ４０から取得されたデータワード４２の最終的な系列は、従来の製造プロセス６１に入力され、予め決定されたポジションで、所望のパターン、又はダミーパターンを有する複数のＲＯＭディスクが得られ、したがってポストレコーディングの使用の準備がされる。
【００３６】
好ましくは、前記予め決定されたポジションは、（たとえばＢＤシステムにおける本発明の適用において）１以上のレコーディングフレームの開始で、又はレコーディングフレームのフレーム同期の後で、たとえばリードインに配置されることでコンテンツ情報と干渉しない。これにより、ポストレコードされた二次情報を検出及びデコードするのを容易にする。
【００３７】
本発明の一般的な理解のため、図７では、変調されたビットストリーム２９から二次情報を再生する装置が示される。変調されたビットストリーム２９は、復調ユニット１１１により受信され、ここでデータワード１１２の連続に変換される。このデータワード１１２の連続は、コンテンツ情報１１７を検索するデコーディングユニット１１３に入力される。デコーディングユニット１１３は、デスクランブリングユニット１１４、デインタリービングユニット１１５、及び誤り訂正ユニット１１６を含んでおり、これらの動作がストレージシステムに典型的に含まれる。チェッキングユニット１１８は、ダミーパターンが配置される、変調されたビットストリームにおける予め決定されたポジションに対応するポジションに存在するデータワードをチェックする。
【００３８】
これらデータワードのそれぞれは、そのオリジナルの値（ダミーパターンに関連される値）に対してチェックされるか、ポストレコーディングプロセスにより変更されたときにダミーパターンを有する値に対してチェックされる。ダミーパターンが変更されたか否かを確定することで、二次情報１１９が検索される。二次情報を検索する間、誤り訂正が適用されないが、誤り訂正ユニットがディスエーブルでない場合、誤り訂正ユニット１１６は、変更を検出し、それらを初期値に訂正し、したがって（エラーレベルがＥＣＣの能力を超えない場合）ポストレコーディングの作用を消去する。
【００３９】
ダミーパターン及び有効なパターンとして変更されたダミーパターンの両者を有する利点は、変調ユニット１１１がレガシー装置におけるのと同じであることである。  
図では、データワードが値７５ｈ（ダミーチャネルワード）に対して始めにチェックされ、否定的である場合、値２５ｈ又は０１ｈ（極性に従って、変更されたダミーチャネルワード）に対してチェックされ、これにより１ビットの情報が検索され、０は変更されていないダミーチャネルワードであり、又は１は変更されたダミーチャネルワードであり、若しくは取り決めが前もって行われている限り、逆も然りである。要約すると、二次情報を再生する装置について、変調されたビットストリームにおけるダミーパターンの予め決定された位置に対応して、復調後にデータワードの連続における位置を識別し、二次情報を再構成するように、ここに含まれるデータワードがダミーパターン、又は変更されたダミーパターンに対応するデータワードであるかをチェックすることが本質的である。
【００４０】
本発明は、以下のように要約される。本発明は、符号化及び変調によるコンテンツ情報から取得された変調されたビットストリームの形式でコンテンツ情報を記憶した記録キャリアを製造する方法及び装置に関する。記録キャリアは、予め決定されたロケーションで、多数のダミーパターンを有し、個々のコードのような二次情報のポストレコーディングを可能にし、これにより、二次情報は、ダミーパターンを選択的に変更することで記録される。本発明に係る方法及び装置は、予め決定されたポジションでのダミーパターンをもつ変調されたビットストリームが、ダミーパターンが利用される変調に準拠するのを確かめるために、変調が行われる前に、データワードの系列にダミーパターンに対応するデータワードを挿入することで取得されることが予知される。
【図面の簡単な説明】
【００４１】
【図１】公知のポストレコーディング方法の基本原理を例示する図である。
【図２】コンテンツ情報をエンコードする公知の方法の概念図である。
【図３】本発明に係る記録キャリアを製造する方法の概念図である。
【図４】本発明に係る記録キャリアを製造する方法の実施の形態を示す図である。
【図５】本発明に係る記録キャリアを製造する装置の概念図である。
【図６】本発明に係る記録キャリアを製造する方法の更なる実施の形態を示す図である。
【図７】二次情報を再生する装置を示す図である。
【図１】
2008520055.tif 000003
【図２】
2008520055.tif 000004
【図３】
2008520055.tif 000005
【図４】
2008520055.tif 000006
【図５】
2008520055.tif 000007
【図６】
2008520055.tif 000008
【図７】
2008520055.tif 000009
【国際調査報告】
2008520055.tif 000010
2008520055.tif 000011